(57)【要約】【課題】ライン取手本体のコストダウンを図ることができるライン取手を提供すること。【解決手段】扉板１６の端部の長手方向に向かって設けられるライン取手本体１８と、ライン取手本体１８の長手方向側の両端部に取り付けられ、ライン取手本体１８の長手方向側の両端部を被覆するサイドキャップ１９と、から構成されるライン取手１７であって、サイドキャップ１９は、サイドキャップ１９と扉板１６とを接合する接合部１９ｄを備える。【選択図】図５
2010227378.tif 000002
【特許請求の範囲】
【請求項１】
扉板の端部の長手方向に向かって設けられるライン取手本体と、該ライン取手本体の長手方向側の両端部に取り付けられ、該ライン取手本体の長手方向側の両端部を被覆するサイドキャップと、から構成されるライン取手であって、
前記サイドキャップは、該サイドキャップと前記扉板とを接合する接合部を備えることを特徴とするライン取手。
【請求項２】
前記サイドキャップは前記ライン取手本体に嵌合する嵌合部を備えることを特徴とする請求項１に記載のライン取手。
【請求項３】
前記ライン取手本体は長手方向に溝部を設け、前記嵌合部は、該溝部に挿嵌する突片であることを特徴とする請求項２に記載のライン取手。
【請求項４】
前記接合部は、前記扉板の背面に配置されることを特徴とする請求項１ないし３に記載のライン取手。
【発明の詳細な説明】
【技術分野】
【０００１】
本発明は、扉板の端部の長手方向に向かって設けられるライン取手本体と、ライン取手本体の長手方向側の端部に取り付けられ、ライン取手本体の長手方向側の端部を被覆するサイドキャップと、から構成されるライン取手に関する。
【背景技術】
【０００２】
従来、把手（ライン取手）としては、アルミ押出形材を切断して構成されており、把手本体を扉（扉板）の上端面から立設された垂直面部と、この垂直面部の正面側下縁部で扉の上端面に当接して垂直面部を支持する脚部と、垂直面部の背面側下縁部で扉の背面部に当接する固定板部と、を備えており、扉に固定板部を木ネジによって固定することにより、把手の扉に対しての取り付けがなされている。このような把手は、端部キャップ（サイドキャップ）をアルミ押出形材の切断を切断したときの切断面に対して覆うように取り付けることによって、切断面に対してバリ取りと研磨仕上げを行うことなく、把手のコスト低減を図っているものがある（例えば、特許文献１参照）。
【先行技術文献】
【特許文献】
【０００３】
【特許文献１】特開２００８−２９４０８号公報（第４頁、第７図）
【発明の概要】
【発明が解決しようとする課題】
【０００４】
しかしながら、特許文献１にあっては、把手（ライン取手本体）はアルミ押出形材を切断して製作しているため、所定箇所で扉（扉板）に対して木ネジを螺着させる固定板部（接合部）が把手の略全長に亘って形成されてしまい、使用していない固定板部の箇所のアルミ材のコストが無駄になっているという問題があった。
【０００５】
本発明は、このような問題点に着目してなされたもので、ライン取手本体のコストダウンを図ることができるライン取手を提供することを目的とする。
【課題を解決するための手段】
【０００６】
前記課題を解決するために、本発明のライン取手は、
扉板の端部の長手方向に向かって設けられるライン取手本体と、該ライン取手本体の長手方向側の両端部に取り付けられ、該ライン取手本体の長手方向側の両端部を被覆するサイドキャップと、から構成されるライン取手であって、
前記サイドキャップは、該サイドキャップと前記扉板とを接合する接合部を備えることを特徴としている。
この特徴によれば、ライン取手本体は長手方向の両端部に取り付けたサイドキャップのみを介して扉板に取り付けられるので、ライン取手本体に扉板との接合部を備える必要が無く、ライン取手本体をシンプルに構成することができ、その製造コストを抑えることができる。
【０００７】
本発明のライン取手は、
前記サイドキャップは前記ライン取手本体に嵌合する嵌合部を備えることを特徴としている。
この特徴によれば、扉板の開閉を行う際にライン取手本体とサイドキャップとが、嵌合状態で互いを保持し合うので、ライン取手本体が扉板の端部から離脱してしまうことを防止することができる。
【０００８】
本発明のライン取手は、
前記ライン取手本体は長手方向に溝部を設け、前記嵌合部は、該溝部に挿嵌する突片であることを特徴としている。
この特徴によれば、突片が溝部内に挿嵌されることでよりサイドキャップがライン取手本体を強固に保持できる。
また、突片を所定長さに形成することによって、ライン取手の長手方向略中央部分に荷重が加わった際にサイドキャップに生じる撓み等を抑制することができる。
【０００９】
本発明のライン取手は、
前記接合部は、前記扉板の背面に配置されることを特徴としている。
この特徴によれば、接合部が引出の正面視から扉板によって隠蔽されるので、引出の外観を損なうことなく、扉板へライン取手を取り付けることができる。
【図面の簡単な説明】
【００１０】
【図１】実施例における引出が収納されているシステムキッチンを示す斜視図である。
【図２】引出を示す斜視図である。
【図３】ライン取手本体を示す側面図である。
【図４】（ａ）は、サイドキャップの平面図であり、（ｂ）は、サイドキャップの側面図であり、（ｃ）は、サイドキャップの背面図であり、（ｄ）は、図４（ｃ）におけるサイドキャップのＡ−Ａ断面図である。
【図５】ライン取手本体とサイドキャップと前板との組立斜視図である。
【発明を実施するための形態】
【００１１】
本発明に係るライン取手を実施するための形態を実施例に基づいて以下に説明する。
【実施例】
【００１２】
実施例に係るライン取手につき、図１から図５を参照して説明する。尚、本実施例では、図３における紙面左方をライン取手の正面側とし、図４（ａ）における紙面下方及び図４（ｂ）における紙面左方をサイドキャップの正面側として説明する。図１の符号１は、家庭内のキッチン等に設けられるシステムキッチンである。このシステムキッチン１には、上部右側に使用者が食器等を洗うのに使用するシンク部２と、上部中央にシステムキッチン１上での作業スペース３と、上部左側に調理を行うためのコンロ部４と、が設けられている。
【００１３】
また、システムキッチン１の下部は食器や食材等を収納しておくための収納部５が設けられている。具体的には、シンク部２の下部には引出６，７、作業スペース３の下部には引出８，９，１０、コンロ部４の下部には引出１１，１２がそれぞれ上下に連設されている。以下、この収納部５に設けられた引出６について説明する。
【００１４】
図２に示すように、引出６は、底板１３と、この底板１３の左右両端に取り付けられる一対の側板１４と、これら底板１３と側板１４との後端に取り付けられる後板１５と、これら底板１３と側板１４との前端に取り付けられる、後述するライン取手１７が取り付けられる扉板としての前板１６と、を備え、引出１０は上面が開口した略四角箱状に形成されている。
【００１５】
また、前板１６の上端部には、前板１６の左右方向略全長に亘って本発明のライン取手１７が取り付けられており、このライン取手１７を使用者が掴むことによって、引出１０は収納部５内とキッチンキャビネット１の正面側とを前後動可能となっている。
【００１６】
このライン取手１７は、図２及び図３に示すように、アルミ材等の押し出し成形によって製造された、前板１６の長手方向を向くライン取手本体１８と、このライン取手本体１８の左右側端面に取り付けられ、ライン取手本体１８の左右側端面を被覆する、硬質樹脂材等で製造されたサイドキャップ１９と、から構成されている。
【００１７】
具体的には、ライン取手本体１８は、下端部が前板１６の上端面に当接する基部１８ａと、基部１８ａの後部側から上方に延設された立設部１８ｂと、を備えている。この基部１８ａの前端部から立設部１８ｂの前端上部までは、湾曲面に形成されている。
【００１８】
また、立設部１８ｂの前端上部からは、正面側に向けて長手方向に延びる水平片１８ｃが形設されており、更に、水平片１８ｃの前端部からは下方に向けて下垂片１８ｄが延設されている。そして、ライン取手本体１８上部におけるこれら立設部１８ｂと水平片１８ｃと下垂片１８ｄとによって囲まれる空間は、使用者がライン取手１７を掴む際に指を配置する指入空間１８ｅとして構成されている。
【００１９】
更に、立設部１８ｂの後部には、背面側に向けて開口する溝部１８ｆが形成されている。この溝部１８ｆは、立設部１８ｂの正面側から背面側に向けて前後幅寸法が縮寸している側面視台形状に形成されている。
【００２０】
次に、ライン取手本体１８の左右側端面を被覆するサイドキャップ１９について説明する。尚、サイドキャップ１９は左右対称に構成されているため、本実施例ではライン取手本体１８の右側端面を被覆するサイドキャップ１９についてのみ説明し、ライン取手本体１８の左側端面を被覆するサイドキャップ１９については説明を省略する。
【００２１】
図３及び図４（ａ）〜図４（ｄ）に示すように、サイドキャップ１９は、側面視形状がライン取手本体１８の側面視形状と略同一の被覆部１９ａを備えている。この被覆部１９ａの左側面上部からは、側面視略方形状の挿嵌片１９ｂが左方向に向かって延設されている。この挿嵌片１９ｂは、ライン取手本体１８の指入空間１８ｅ内に挿嵌可能な寸法に形成されている。
【００２２】
また、被覆部１９ａの左側面後部からは、本発明における嵌合部としての突片１９ｃが左方向に向かって、挿嵌片１９ｂよりも左方向に長寸に延設されている。更に、図３及び図４（ｄ）に示すように、この突片１９ｃは側断面視で溝部１８ｆの補形をなす台形状に形成されており、左側方から溝部１８ｆに対して挿嵌可能となっている。
【００２３】
そして、突片１９ｃの背面からは、下方に向かって本発明における接合部としての螺着片１９ｄが下方に向けて延設されている。この螺着片１９ｄの下部には、前後方向に貫通する螺子穴１９ｅが穿設されている。
【００２４】
ライン取手１７の前板１６の上端部への取り付けについて説明する。尚、前述のサイドキャップ１９と同様に、ライン取手１７は左右対称に構成されているため、本実施例ではライン取手１７の右側端面での前板１６の上端部への取り付けについてのみ説明し、ライン取手の左側端面での前板１６の上端面への取り付けについては説明を省略する。
【００２５】
まず、図５に示すように、サイドキャップ１９をライン取手本体１８の右側端面（ライン取手本体１８裏面視のため、図５紙面では左側）に接近させ、突片１９ｃを溝部１８ｆに挿入させる。このとき、突片１９ｃが溝部１８ｆに挿入されたことでサイドキャップ１９の上下位置の位置決めがなされるようになっており、更に突片１９ｃを溝部１８ｆ内に挿入させながら挿嵌片１９ｂの指入空間１８ｅへの挿入がなされる。
【００２６】
つまり、突片１９ｃを溝部１８ｆ内に挿入させることにより、サイドキャップ１９は挿嵌片１９ｂが指入空間１８ｅに、突片１９ｃが溝部１８ｆにそれぞれ挿嵌され、サイドキャップ１９がライン取手本体１８に対して前後方向に離脱不能に保持される。そして、更に突片１９ｃを溝部１８ｆに挿入させることで被覆部１９ａの左側面がライン取手本体１８の右側面に当接し、ライン取手本体１８の右側面の被覆がなされる。
【００２７】
次に、前述のようにライン取手本体１８にサイドキャップ１９を取り付けることで構成されたライン取手１７を、図３に示すように、基部１８ａから前板１６の上端面上に載置する。このとき、螺着片１９ｄは前板１６の背面側に配置されており、特に螺着片１９ｄの正面下部は前板１６の背面と当接している。
【００２８】
この状態で図５に示すように、螺着片１９ｄの背面側から螺子穴１９ｅを介して前板１６に木螺子２０を螺着することによって、ライン取手１７の前板１６の上部への取り付けがなされるようになっている。
【００２９】
同様の手法により、左側のサイドキャップ１９もライン取手本体１８に取り付けることで、ライン取手１７の前板１６への取り付けが完了する。
【００３０】
また更に、前述したサイドキャップ１９は硬質樹脂材に被覆部１９ａと挿嵌片１９ｂと突片１９ｃと螺着１９ｄと螺子穴１９ｅを含めて一度に成形された射出成形品を使用している。そのため、従来は、アルミ押出形材を切断して把手本体とし、把手本体の固定板部のコーナーを切断し、固定板部に螺子穴を穿孔し、端部キャップを把手本体の側端部に挿入固定した後に扉板上部裏面に把手本体を螺子穴から木螺子で固着することでライン把手付き前板を製作していたが、本発明のライン取手１７では、螺子穴１９ｅが予めサイドキャップ１９に形成されているので、アルミ押出材であるライン取手本体１８に螺子穴１９ｅを形成する必要が無く、アルミ押出形材を切断してライン取手本体１８とし、ライン取手本体１８にサイドキャップ１９を挿嵌して、サイドキャップ１９の螺子穴１９ｅから木螺子２０で前板１６上部裏面に螺着することで取り付けが完了する。このため、前板１６の製作工数を短縮できるようになっており、頗る工業的価値が高い。
【００３１】
以上、本実施例におけるライン取手にあっては、前板１６の端部の長手方向に向かって設けられるライン取手本体１８と、ライン取手本体１８の長手方向側の両端部に取り付けられ、ライン取手本体１８の長手方向側の両端部を被覆するサイドキャップ１９と、から構成されるライン取手１７であって、サイドキャップ１９は、サイドキャップ１９と前板１６とを接合する螺着片１９ｄを備えることで、ライン取手本体１８は両端部に取り付けたサイドキャップ１９のみを介して前板１６に取り付けられるので、ライン取手本体１８に前板１６との接合部を備える必要が無く、ライン取手本体１８をシンプルに構成することができ、その製造コストを抑えることができる。
【００３２】
また、サイドキャップ１９はライン取手本体１８に嵌合する突片１９ｃを備えるので、前板１６の開閉を行う際にライン取手本体１８とサイドキャップ１９とが、嵌合状態で互いを保持し合うので、ライン取手本体１８が前板１６の端部から離脱してしまうことを防止することができる。
【００３３】
また、ライン取手本体１８は長手方向に溝部１８ｆを設け、嵌合部は、溝部１８ｆに挿嵌する突片１９ｃであるので、突片１９ｃが溝部１８ｆ内に挿嵌されることでよりサイドキャップ１９がライン取手本体１８を強固に保持できる。また、突片１９ｃを所定長さに形成することによって、ライン取手１７の長手方向略中央部分に荷重が加わった際にサイドキャップ１９に生じる撓み等を抑制することができる。
【００３４】
以上、本発明の実施例を図面により説明してきたが、具体的な構成はこれら実施例に限られるものではなく、本発明の要旨を逸脱しない範囲における変更や追加があっても本発明に含まれる。
【００３５】
例えば、前記実施例では、ライン取手１７を引出６の前板１６上端部に設けたが、ライン取手１７は開き戸や引戸の左右側端部、吊戸の下端部等に取り付けられるようにしてもよい。
【００３６】
また、前記実施例では、突片１９ｃの背面から螺着片１９ｄを延設させ、螺着片１９ｄと前板１６とを螺着することでライン取手１７の前板１６の上端部への取り付けを行ったが、突片１９ｃの左右幅寸法をより長寸とすることで突片１９ｃの背面から複数の螺着片１９ｄを延設させ、これら螺着片１９ｄと前板１６とを螺着することでライン取手１７の前板１６への取り付けをより強固なものとしてもよい。
【００３７】
また、前記実施例では、サイドキャップ１９のライン取手本体１８への嵌合を挿嵌片１９ｄと突片１９ｃとの指入空間１８ｅと溝部１８ｆとへの嵌合で説明したが、これら形状に限らず、例えばサイドキャップ１９の前後幅寸法及び上下寸法をライン取手本体の前後幅寸法及び上下寸法よりも小さく形成するとともに、ライン取手本体１８の側端面にサイドキャップ１９の側面視形状と同形の中空部を形成することで、挿嵌片１９ｄと突片１９ｃとが指入空間１８ｅと溝部１８ｆとに嵌合する際にサイドキャップ１９が中空部内に収納されるようにしてもよい。この場合、ライン取手１７の外部にサイドキャップ１９が露出しないので、ライン取手１７の美観の向上が図られる。
【符号の説明】
【００３８】
１６              前板（扉板）
１７              ライン取手
１８              ライン取手本体
１８ａ            基部
１８ｂ            立設部
１８ｃ            水平片
１８ｄ            下垂片
１８ｅ            指入空間
１８ｆ            溝部
１９              サイドキャップ
１９ａ            被覆部
１９ｂ            挿嵌片
１９ｃ            突片（嵌合部）
１９ｄ            螺着片（接合部）
１９ｅ            螺子穴
【図１】
2010227378.tif 000003
【図２】
2010227378.tif 000004
【図３】
2010227378.tif 000005
【図４】
2010227378.tif 000006
【図５】
2010227378.tif 000007